(57)【特許請求の範囲】
【請求項１】
第１の繋止穴（７）であって、そこから第１の繋止ロッド（９）が上方に延伸して上段のコンテナ（８）を保持する第１の繋止穴（７）を具備する少なくとも１つの横方向の繋止ブリッジ（１）を有するコンテナ船（２０）であって、繋止ブリッジ（１）が繋止ロッド（９）を操作するための少なくとも１つの略水平な歩行路（４）を有していて、
繋止ブリッジ（１）が第１の繋止穴（７）と同じ高さに配設された第２の繋止穴（１７）を具備し、第１の繋止穴（７）と第２の繋止穴（１７）は上側のコンテナ（８）と下側のコンテナ（８）の境目に近い高さに配置されていて、第２の繋止ロッド（１０）は第２の繋止穴（１７）から離間するように水平方向に延伸してコンテナ（８）を保持していることを特徴とするコンテナ船。
【請求項２】
繋止穴の高さが、コンテナを支えている面の上方、２．５９ｍ（８．５ｆｔ）乃至２．９０ｍ（９．５ｆｔ）にされていることを特徴とする請求項１に記載のコンテナ船。
【請求項３】
コンテナの積み重ねを支持している面が船体の甲板のハッチカバー（１８）により形成されていることを特徴とする請求項１または２のいずれか１項に記載のコンテナ船。
【請求項４】
繋止ブリッジ（１）が斜めの支柱（３）を有することを特徴とする請求項１から３のいずれか１項に記載のコンテナ船。
【請求項５】
前記第２の繋止ロッド（１０）は第1の繋止ロッド（９）で保持されたコンテナ（８）の下にあるコンテナ（８）を保持していることを特徴とする請求項１に記載のコンテナ船。
【発明の詳細な説明】
技術分野
本発明はコンテナ船に関する。この業界においては、上甲板上に配設された横方向の繋止ブリッジを有するコンテナ船が知られている。繋止ブリッジは、しばしば、上また上に何段かに積み重ねられ隣接しているコンテナを保持するための様々なタイプのロック装置、および、または、保持装置を具備している。
最も近い先行技術
繋止ブリッジの第１の繋止穴が歩行路の歩行面に配設されていて、そこから第１の繋止ロッドが上方に延伸し、積み重ねられ隣接しているコンテナの中の上段のコンテナを保持しているコンテナ船が公知である。この船は、さらに３乃至４ｍ低い甲板面に第２の繋止穴を具備し、そこから第２の繋止ロッドが上方に延伸し下側の、通常甲板から上向きに第２番目のコンテナの高さにあるコンテナを保持する。下段のコンテナは直接甲板のハッチカバーに固定される。繋止ロッドは強靱な鉄の棒で作られ大きなリグスクリューとして延伸し、全重量４０〜５０ｋｇに達し、全長は約４ｍである。
積み重ねられたコンテナを固定する作業において、作業者は始めに繋止ロッドを装着する際に腕を高く挙げながら甲板の上で立った姿勢で、すべての下側にあるコンテナを繋止する。それから作業者は、そこよりも上方にあるコンテナを繋止する作業工程を続けるために繋止ブリッジの歩行路まで歩かねばならない。これによりコンテナの積み卸しの際の作業工程が遅くなってしまう。これはコストを増大し、今日では運送量の中に占める割合が高くなり過ぎている。非常に多くの数のコンテナを繋止しなけらばならないということに注意しなければならない、というのは、船は５０００〜６０００にも達するコンテナを運び、それらの内の半分は甲板の上に積み重ねられるからである。
さらには、上記のコンテナの繋止あるいは固定の方法は積み重ねられたコンテナに作用する特有な力の観点から最適なものではない。ある高さから別の高さに延伸する斜めの繋止ロッドによってコンテナを保持すると、航海中の船の揺れに追従する最上段のコンテナによって引き起こされる最下段のコンテナの変形を望ましいレベルに抑制することは通常不可能であって、積み重ねられたコンテナの全体の安定性の問題を引き起こしている。
目的
本発明の目的は、より安定的にかつ信頼性高くコンテナを積み重ねることを可能にしながらコンテナの繋止がより迅速に実行でき、それによりコンテナ船のサービスを向上できる、最初の章で述べたタイプのコンテナ船を提供することである。
本発明の新規性
本発明のコンテナ船の特徴は繋止ブリッジが、略第１の繋止穴の高さと変わらない所に配設された第２の繋止穴を具備していることである。第２の繋止ロッドは第２の繋止穴から略水平方向に延伸してコンテナを保持する。
利点
本発明の利点は１つの積み重ねられたコンテナの全ての繋止を１つの歩行面でおこなうことができるという点である。これは迅速な繋止という結果を得ることができる、というのは、作業者は同じ作業面、すなわち、新しい繋止ブリッジの歩行路から、効率的に作業でき、当該のコンテナの積み重ねの繋止を終えることができるからである。
さらに、略水平方向に延伸する繋止ロッドはコンテナの変形を大幅に防止する、例えば、コンテナの頂部が底部に対して横方向に移動する平行四辺形となるように変形する状況を防止する。
この意味において、第２の繋止ロッドが略水平方向を向いていることは、コンテナが従来のコンテナ船の場合よりも重い重量を運ぶことができるということが注目される。さらには、繋止ロッドを、使用しようとする水平位置に片付けておくこともできる。
作動のモード
コンテナを繋止するときに、コンテナの積み重ねは２つの隣りあった繋止ブリッジの間に配置される。コンテナの下側の面はハッチの上の直接に置かれる。
この様にして、作業者は繋止ブリッジの歩行路からすべての繋止ロッドに近づくことができ、そして、繋止ロッドの繋止穴は作業に適した高さ、例えば、歩行面から１ｍ上方、に配置される。
第１の繋止ロッドは上向きで積み重ねの上段に配置されたコンテナに固定され、第２の繋止ロッドは略水平外向きで下段に配置されたコンテナ、好ましくは、ハッチから上向きに見て積み重ねられたコンテナの２段目に固定される。
最後に、繋止ロッドのリグスクリューを締め上げることによってコンテナは積み重ねて固定される。
第２の繋止ロッドが略水平を向いていることによって非常に「使用者にやさしい」繋止が確保されていて、作業者が繋止ロッドをそれほど持ち上げる必要はなくされており、他方、航海中従来の繋止ブリッジで可能であったものよりも重いコンテナを積み重ねることができる。
有利な実施の形態
有利な実施の形態においては、繋止穴の高さは、積み重ねられたコンテナを支えている面から上方に２．５９ｍ（８．５ｆｔ）乃至２．９０ｍ（９．５ｆｔ）離して配置されている。
他の有利な実施の形態においては、歩行路の歩行面は繋止穴の高さに対して０．５〜１．５ｍ低くされている。これにより作業者は立った姿勢で作業することができ、繋止ロッドを取り付ける際に繋止ロッドを掴むために体を曲げる必要がなく、怪我の発生も防止している。
さらには、ブリッジに作用する水平な繋止ロッドからの横方向の力を吸収する繋止ブリッジは斜めの支柱を備えることが可能である。この力は悪天候の中を航海している場合に顕著である。
図面の説明
以下、図面を参照しながらより詳細に本発明を説明する。
図１は本発明によるコンテナ船の斜視図である。
図２はコンテナ船の１つの繋止ブリッジの側面図である。
図３は同じく端面図である。
有利な実施の形態の詳細な説明
図１に示されるコンテナ船２０は繋止ブリッジ１を具備している。繋止ブリッジ１は船体に対して横方向に延伸していて、甲板のハッチカバーの上に置かれた、中間のコンテナの積み重ね（図示しない）を保持している。
図２および図３に明らかなように、繋止ブリッジ１は桁構造として構築されていてコンテナ船２０の甲板から直立している縦方向の桁２により支持されている。本発明の実施の形態においては斜めの支柱が桁２の間に傾斜配置され、航海中に繋止ブリッジに作用する横方向の力を吸収する。
各繋止ブリッジは第１の繋止穴７を具備していて、そこから第１の繋止ロッド９が上方に延伸していて上段のコンテナ８を保持しているが、図示の実施の形態においてはハッチカバーから上方に見て、積み重ねられたコンテナの３番目の高さである。本発明によれば、繋止ブリッジは、さらに、第１の繋止穴７と略同じ高さに配置された第２の繋止穴１７を具備していて、そこから第２の繋止ロッド１０が横方向に略水平に延伸し下にある段のコンテナ８、図示のように積み重ねられたコンテナの２段目を保持している。下段のコンテナは直接ハッチの上にある。繋止ロッドは当該コンテナの底部に固定されていて、ある見方では斜め横方向に延伸していて航海中の横方向の力を吸収する。
図２および図３に示される実施の形態においては、全ての繋止穴７、１７は、甲板の高さの上方、２．５９ｍ（８．５ｆｔ）乃至２．９０ｍ（９．５ｆｔ）、すなわち、標準的なコンテナの最低と、最高の高さの間に対応する高さに配設されている。繋止穴が上述の標準的な高さの中間の高さに配置されている時は特に高い適応性が得られる、というのは、コンテナの積み重ねが（少なくとも一番下のコンテナが）最小の高さ（８．５ｆｔ）を有する場合は、水平方向の繋止ロッドが多少斜め下向きに延伸し、コンテナの積み重ねが（少なくとも一番下のコンテナが）最大の高さ（９．５ｆｔ）を有する場合は、水平方向の繋止ロッドが多少斜め上向きに延伸するからである。
繋止ロッドは上方の、水平な歩行路４を具備している。それに沿って作業者５はいろいろと動くことができ、繋止ロッド９、１０を操作することができる。
歩行路４の歩行高さは繋止穴７、１７の高さよりも低く配設することができる。図示の実施の形態においては、歩行路４の歩行高さは、そのようにされていて繋止穴７、１７よりも約１ｍ低い。歩行路４はさらに繋止ブリッジ１の上方の境界を画定する手すり６を有している。
図示の実施の形態においては、手すり６は下側の桁構造２に結合され、特に強固で、荷重を受けとめる構造を備えており、繋止穴７、１７は手すり６に直接に固定されている。さらには、手すり６は作業者の繋止ブリッジからの転落の防止を確保している。
第１の繋止ロッドの外側の端部１１がコンテナ８の下側の角の凹部１２に係合していてコンテナ８は固定されている。
図３は、第２の繋止ロッド１０が略水平方向外側に延伸し、ハッチカバー１８に対して第２のコンテナ高さにあり下段のコンテナに対応するコンテナ８を固定している一方で、第１の繋止ロッド９がハッチカバー１８に対して第３のコンテナ高さに配置されて上段のコンテナに相当する、コンテナ８に向かってどの様に延伸しているか、を明示している。
第２の繋止ロッド１０が略水平方向に延伸していることによりコンテナはより重いものを運ぶことができる。
繋止ロッド９、１０は、さらには、斜めに上方前方に延伸している。図２に明らかなように、各繋止ロッド９、１０は、当該繋止穴７、１７の側方に配置されているコンテナ８に固定されている。
繋止ロッド９、１０はコンテナ８の凹部１２に係合するようにされている外側端部１１を備えている。さらに、繋止ロッド９、１０は繋止穴７、１７に軸動可能に係合している内側端部１３を有しており、繋止ロッド９、１０は繋止ブリッジ１に略平行に延伸する休止位置と、上側コンテナ高さと下側コンテナ高さにそれぞれ固定される繋止位置の間を回動することができる。
繋止ロッドは、既知の方法で、例えば、中間部分１４や、フック１５、１６やリグスクリュー２２等の、幾つかの脱着可能な部品を具備することができ、その長さを、コンテナの異なる標準寸法に、容易に適合させることができる。
リグスクリュー２２はコンテナを確実に固定できるよう装着後に繋止ロッドを締め上げる機能を有する。
図２、３から明らかなように、繋止ブリッジ１はさらに、下側の歩行面２１を具備することができ、これは、もっぱら保守等のために使用される。
図１に示される例においては、６個の繋止ブリッジがコンテナ船の上に設けられている。しかしながら、繋止ブリッジの数は船２０の長さとコンテナ８の寸法によって変えることができる。
また、繋止ブリッジも本発明の範囲において様々に構築することができる。繋止ブリッジは必ずしも桁構造である必要はなく、例えば、斜めの支柱３は完全な板に置き換えることができ、手すりは別の形状とすることができる。
【図１】
0003932054.tif 000002
【図２】
0003932054.tif 000003
【図３】
0003932054.tif 000004